(57)【要約】【課題】  回収した塵埃を清潔，安全に排出し、また、排出に伴う外気による室内の汚染を防いだ空気調和機を提供する。【解決手段】  循環気流フィルターの清掃機構と、室外からの吸気風路と、室外への排出風路と、該吸気風路に連通する外気導入ファンとを有する空気調和機において、該外気導入ファンからの吹出し気流により、該清掃機構で塵埃の貯留部に回収した塵埃を該排出風路を経て室外に排出する。【選択図】図１１
2008116139.tif 000002
【特許請求の範囲】
【請求項１】
循環気流フィルターの清掃機構と、室外からの吸気風路と、室外への排出風路と、該吸気風路に連通する外気導入ファンとを有する空気調和機において、該外気導入ファンからの吹出し気流により、該清掃機構で塵埃の貯留部に回収した塵埃を該排出風路を経て室外に排出することを特徴とする空気調和機。
【請求項２】
前記外気導入ファンの吸気経路中に空気清浄フィルターを設け、更に、該外気導入ファンの吹出し口に該外気導入ファンを前記排出風路、または、室内に連通させるように切換える風路切換ダンパーを設け、外気の室内への吸気を可能とすることを特徴とする請求項１記載の空気調和機。
【請求項３】
外気を室内に吸気する吸気運転の時に、前記外気導入ファンの回転数を塵埃を外気に排出する排出運転時より低速にすることを特徴とする請求項２記載の空気調和機。
【請求項４】
前記外気導入ファンと排出風路が連通した状態で前記貯留部へ吹出す吹出し気流の方向が下向きまたは斜め下向きになり前記塵埃の貯留部に直達することを特徴とする請求項１ないし２記載の空気調和機。
【請求項５】
除去塵埃ホッパー内に前記外気導入ファンからの吹出し気流の案内部材を設けることを特徴とする請求項１ないし２記載の空気調和機。
【請求項６】
前記案内部材を前記外気導入ファンの吹出し気流とホッパー開口との間に設けることを特徴とする請求項５記載の空気調和機。
【請求項７】
除去塵埃の落下経路内に前記貯留部と前記除去塵埃ホッパーを遮断、または、該貯留部と該除去塵埃ホッパーを連通させるように切換える逆流防止ダンパーを備えることを特徴とする請求項１ないし２記載の空気調和機。
【請求項８】
前記逆流防止ダンパーで前記貯留部と前記除去塵埃ホッパーを遮断した時に、前記外気導入ファンと前記排出風路が連通していることを特徴とする請求項７記載の空気調和機。
【発明の詳細な説明】
【技術分野】
【０００１】
本発明は空気調和機にかかり、特にフィルターの自動清掃機構で回収した塵埃の排出に好適な空気調和機に関する。
【背景技術】
【０００２】
空気調和機は室内空気を熱交換器に循環させて、加熱，冷却，除湿機能などにより調和空気にし、これを室内に吹出すことにより室内を空気調和する。このとき、循環空気中の塵埃を除去する循環気流フィルターを備えて、熱交換器に塵埃が付着し熱交換性能が低下することのないように、また、室内を清浄な空間にし、居住者が快適に過ごせるようにしている。循環気流フィルターにはこのように常に室内空気が循環しているので、室内空気中の塵埃が徐々に蓄積されて行く。
【０００３】
このため、適宜な時期に循環気流フィルターを清掃する必要が有る。しかし、空気調和機は室内の高所に据付けられることが多く、高齢者等には手が届き難いため、循環気流フィルターの清掃を自動で行うように種々の工夫が凝らされている。
【０００４】
この種の従来技術として、以下のようなものが知られている。
【０００５】
特許文献１は室内機筐体内に室内機筐体内の空気の一部を屋外へと排出する排気手段を設け、この排気手段の排気経路上にフィルターに付着したゴミをブラシで掻き取り、回収するゴミ回収箱を設け、フィルターに付着したゴミを自動的に回収し、かつ、回収したゴミを排気手段によって屋外へ廃棄し、フィルター表面上に付着したゴミを自動的に除去するとともに、回収したゴミを屋外に廃棄できる空気調和機について述べている。
【０００６】
特許文献２はベルト状のフィルターと、フィルターの駆動軸と連結されたブラシと、該ブラシ，塵埃センサー，ファン等が内設され、背面の排出口に連通している排気管を有し、塵埃センサーなどからの情報によりフィルターの掃除時期を判断する空気調和装置について述べている。
【０００７】
特許文献３は塵埃を捕集すると共に光触媒を担持した集塵フィルターと、塵埃をブラシで回収する清掃ユニットと、光触媒を活性化させる紫外線ランプとを備えたもので、捕集された油分が光触媒により分解され、塵埃と共に清掃ユニットで容易に回収されるのでメンテナンスが極めて容易で、しかも集塵フィルターでの通風抵抗の増加や悪臭の発生を確実に防止することができる空気清浄装置について述べている。
【０００８】
特許文献４は空気清浄集塵部にて集塵された塵埃を除去するブラシと、ブラシにて除去された塵埃を室外へ排出させる換気ダクトとを設け、メンテナンスを不要とした空気調和機について述べている。
【０００９】
これらの文献以外にも、フィルター表面の塵埃を排気ファンの吸引力で吸引し、そのまま、室外に排気する空気調和機として特開２００４−３０１３６３号公報，特開２００５−１４７５４６号公報，特開２００４−２７８９２３号公報，特許３７１９５１９号などが知られている。
【００１０】
【特許文献１】特開２００４−１３８３２９号公報
【特許文献２】特開平６−７４５２１号公報
【特許文献３】特開２００６−６１８７４号公報
【特許文献４】特許３２５８９３６号公報
【発明の開示】
【発明が解決しようとする課題】
【００１１】
近年、経済の発展に伴い大気の中に含まれる化学物質の種類，量が増加し、これらの化学物質のあるものはアレルギー反応の原因物質となることが知られている。外気に含まれるこれらのアレルゲンに過剰に反応する人が少なからず居て、これらの人達の居る室内を排気換気すると、排気した量の外気が建物の隙間から流れ込み、室内がアレルゲンで汚染されてしまう。このため、換気を吸気で行い、吸気経路の途中でアレルゲン物質を捕捉する方法にする必要がある。
【００１２】
特許文献１〜４では室内空気を排気することにより、外気に含まれる花粉などのアレルゲンを家屋の隙間から侵入させることになる点について何ら考慮されていない。
【００１３】
また、フィルター表面の塵埃を排気ファンの吸引力で吸引し、そのまま、室外に排気する空気調和機でも、同様に、回収した塵埃を室外に排出するため、アレルゲンの侵入に対して考慮されていない。
【００１４】
本発明が解決しようとする課題は、循環気流フィルターから自動清掃機構で回収した塵埃を、室内を外気で汚染することなく、室外に排出する空気調和機を提供することにある。
【課題を解決するための手段】
【００１５】
本発明が解決しようとする課題は、循環気流フィルターの清掃機構と、室外からの吸気風路と、室外への排出風路と、該吸気風路に連通する外気導入ファンとを有する空気調和機において、該外気導入ファンからの吹出し気流により、該清掃機構で塵埃の貯留部に回収した塵埃を該排出風路を経て室外に排出することにより達成される。
【発明の効果】
【００１６】
本発明によれば、回収した塵埃を室外に排出し、また、排出に伴う外気による室内の汚染を防ぐことが出来る。また、清潔，安全に塵埃を室外に排出することができる。
【００１７】
また、省スペースで且つ、部品数，原価の増加を抑制しつつ、室内を外気で汚染せずに換気できる。
【００１８】
また、吸気換気，塵埃排出の両方で使用者の満足が得られる適正な運転が行える。
【００１９】
また、残留する塵埃を少なくできる。
【００２０】
また、清掃機構を清潔に保つことができる。
【発明を実施するための最良の形態】
【００２１】
以下、本発明の空気調和機の実施例について図を用いて説明する。
【実施例１】
【００２２】
まず、空気調和機の全体構成を、図１〜図３を用いて説明する。図１は空気調和機の構成図、図２は図１の室内機の内部正面図、図３は図１の室内機の側断面図である。
【００２３】
図１において、符号１で総括的に示すのは空気調和機であり、室内機２と室外機６を冷媒配管８でつなぎ、室内を空気調和する。室内機２は筐体２１の中央部に熱交換器３３を置き、熱交換器３３の下部に熱交換器３３の幅と略等しい長さの貫流ファン方式の送風ファン３１１を配置し、露受皿３５等を取付け、化粧枠２３で覆い、化粧枠２３の前面に前面パネル２５を取付けた構成になっている。
【００２４】
化粧枠２３には室内空気を吸い込む空気吸込み口２７と、温湿度が調和された空気を吹出す空気吹出し口２９とが上下に設けられ、送風ファン３１１からの吹出し気流を送風ファン３１１の長さに略等しい幅を持つ吹出し風路２９０に流し、吹出し風路２９０途中に配した左右風向板２９５で気流の左右方向を偏向し、更に、吹出し口２９につけた上下風向板２９１によって気流の上下方向を偏向し、室内に吹出している。また、上下風向板
２９１の側方部には運転状況を表示する表示部３９７と、別体のリモコン５からの赤外線の操作信号を受ける受光部３９６が配置されている。
【００２５】
筐体２１には送風ファン３１１，循環気流フィルター２３１，熱交換器３３，露受皿
３５，上下風向板２９１，左右風向板２９５等の基本的な内部構造体が取付けられる。そして、筐体２１の内側に取付けられた送風ファン３１１等の基本的な内部構造体は、化粧枠２３を取付けることにより室内機２内に内包される。
【００２６】
化粧枠２３の下面に形成される空気吹出し口２９は、前面パネル２５との分割部に隣接して配置され、奥の吹出し風路２９０に連通している。２枚の上下風向板２９１は閉鎖状態で吹出し風路２９０をほぼ隠蔽して、室内機２の底面に連続した大きな曲面を形成する。そして、上下風向板２９１は両端部に設けた回動軸を支点にして、リモコン５からの指示に応じて、図示しない駆動モータにより、空気調和機の運転時に所要の角度回動し空気吹出し口２９を開き、その状態を保持する。空気調和機の運転停止時には、空気吹出し口２９を閉じるように制御される。
【００２７】
また、左右風向板２９５は下端部に設けた回動軸を支点にして、図示しない駆動モータにより回動可能に構成され、リモコン５からの指示に応じて回動してその状態を保持し、吹出し空気を左右の所望の方向に吹出させる。なお、リモコン５から指示することにより、空気調和機の運転中に上下風向板２９１，左右風向板２９５を周期的に揺動させ、室内の広範囲に周期的に吹出し空気を送ることもできる。
【００２８】
また、前面の可動パネル２５１は図示しない駆動モータを回転させることにより、下部に設けた回動軸を支点として回動可能に構成され、空気調和機の運転時に前側空気吸込部２３０′を開き、前側空気吸込部２３０′からも室内空気を室内機２内に吸引し、空気調和機の停止時には、前側空気吸込部２３０′を閉じるように制御される。
【００２９】
そして、本実施例に係る室内機２によれば、停止時は空気吹出し風路２９０と前側空気吸込部２３０′を上下風向板２９１と可動パネル２５１で隠蔽してインテリアに調和させている。運転時には上下風向板２９１，左右風向板２９５をリモコン５からの指示に応じて回動させる。これと共に、可動パネル２５１を開いて前側空気吸込部２３０′及び上側空気吸込部２３０から室内空気を吸込む。吸込んだ室内空気を内部の熱交換器３３で冷風または温風にして前記空気吹出口２９から吹出すことができる。
【００３０】
この空気調和機１を運転する時には、電源（図示せず）に接続してリモコン５を操作し、所望の冷房，除湿，暖房等の運転を行う。冷房等の運転の場合、送風ファン３１１の前方の部分の熱交換器３３に室内空気を通すため、図３の如く、前面パネル２５の一部を構成する可動パネル２５１を回動させて開く。上側空気吸込部２３０及び開いた可動パネル２５１の奥の化粧枠２３の前側空気吸込部２３０′を通して熱交換器３３に室内空気を流通させる。
【００３１】
室内機２は、内部の図示しない電装品ボックスに制御基板を備え、該制御基板にマイコンが設けられる。該マイコンは図示しない室内温度センサー、室内湿度センサー等の各種のセンサーからの信号を受け、リモコン５からの操作信号を受光部３９６で受けると共に、室内送風ファン３１１，可動パネル駆動モータ，上下風向板駆動モータ，左右風向板駆動モータ等を制御し、且つ、室外機との通信を司るなど、室内機２を統括して制御する。
【００３２】
室内機２は、運転停止状態で、図３に一点鎖線で示すように、可動パネル２５１及び上下風向板２９１が閉鎖された状態となっている。この状態で、リモコン５から運転操作の信号が送信されると、図示しないマイコンは、リモコン５からの操作信号または自動運転が設定されていれば各種センサーからの情報に基づいて冷房、または暖房等の運転モードを決定する。該決定に基づいて可動パネル２５１及び上下風向板２９１を動作させて、気流の通路を開放状態にする。このとき、空気吸込み口２３０′が開放されるが室内からの視線は可動パネル２５１で遮られて室内機２の内部までは届かず、室内の雰囲気を崩すことは無い。
【００３３】
つまり、マイコンは、図示しない駆動モータを動作させ、上下風向板２９１，左右風向板２９５をリモコン５からの指示に対応した吹出し角度まで回動させる。また、マイコンは、前記上下風向板２９１の動作に連動して可動パネル２５１を開く可動パネル駆動モータを動作させる。
【００３４】
次に、マイコンは室内送風ファン３１１を回転させ、上側及び前側の空気吸込部２３０，２３０′から室内空気を吸込む。吸込んだ室内空気を熱交換器３３で温風または冷風あるいは熱交換しないで上下風向板２９１，左右風向板２９５に沿って空気吹出口２９から吹出させるように制御する。一方、運転を停止する際は、室内送風ファン３１１を停止し、可動パネル２５１の駆動モータ及び上下風向板２９１の駆動モータを逆回転させる。このようにすることで開の状態から閉の状態に戻すように制御する。
【００３５】
循環気流フィルター２３１は熱交換器３３の吸込側を覆うように配置され、吸い込まれた室内空気中に含まれる塵埃を取り除くためのものである。送風ファン３１１は横長の貫流ファンで構成され、室内空気を空気吸込み口２７から吸い込んで空気吹出し口２９から吹出すように室内機２内の中央に配置されている。熱交換器３３は送風ファン３１１の吸込側に配置され、略逆Ｖ字状に形成されている。
【００３６】
露受皿３５は熱交換器３３の前後両側の下端部下方に配置され、冷房運転時や除湿運転時に熱交換器３３に発生する凝縮水を受けるために設けられている。受けて集められた凝縮水はドレン配管３７を通して室外に排出される。これらによって、空調される室内空気を流す主風路が形成される。即ち、送風ファン３１１を運転することで、室内空気は空気吸込み口２７から吸い込まれ、循環気流フィルター２３１を介し、熱交換器３３にて熱交換された後、空気吹出し口２９から室内に吹出される。
【００３７】
次に、循環気流フィルターの清掃手段について図４を用いて説明する。図４は清掃機構の斜視図である。
【００３８】
実施例では熱交換器３３の上流の上側吸込み部２３０と前側吸込み部２３０′に面した直行する二面に、平面状の循環気流フィルター２３１，２３１′を設ける。循環気流フィルター２３１，２３１′は案内枠２３４に係着され、案内枠２３４は上側後部と前側下部にレール２３５，２３５′を、循環気流フィルター２３１，２３１′を延長した交叉部に推進軸２４３を備える。
【００３９】
ここで、同一の機能を有する部分が上側循環気流フィルター２３１用と、前側循環気流フィルター２３１′用にある場合は、前側循環気流フィルター２３１′用の部分に上側循環気流フィルター２３１用の部分の符号に「′」をつけて区別する。
【００４０】
推進軸２４３は多角形断面を有し、案内枠２３４に設けた軸受２４５に軸支され、片側の軸受２４５を貫通した一端に取付けた歯車を介して、案内枠２３４に固定した移動用モータ２４２に連結される。推進軸２４３にはスクリュウ２４４，キャリッジ２６１が緩装され、スクリュウ２４４は案内枠２３４に設けられた、推進軸２４３と平行なラック237に噛合している。
【００４１】
キャリッジ２６１とレール２３５，２３５′との間には刷毛支持枠２６２，２６２′が各々循環気流フィルター２３１,２３１′を跨いで懸架され、刷毛支持枠２６２,２６２′には循環気流フィルター２３１，２３１′を掃いて掃除する掃除用刷毛２６７，２６７′が取付けられている。
【００４２】
しかして、移動用モータ２４２を回転させることで、推進軸２４３，スクリュウ２４４が回転し、ラック２３７に沿って、スクリュウ２４４が移動用モータ２４２の回転方向に応じて左右方向に動き、キャリッジ２６１を移動させる。これにより、掃除用刷毛２６７，２６７′が循環気流フィルター２３１，２３１′に摺接しながら掃くように移動し、循環気流フィルター２３１，２３１′上の塵埃を掃除用刷毛２６７，２６７′に掃き取り、案内枠２３４の左部の除去ブラシ２７１，２７１′に移動させる。
【００４３】
掃除用刷毛２６７，２６７′の毛は例えばＪＩＳ  Ｓ３０１６に規定する毛の硬さ５０以下の柔らかな毛を使用し、循環気流フィルター２３１，２３１′面に掃除用刷毛２６７，２６７′を押し付けて移動したときに、循環気流フィルター２３１，２３１′が掃除用刷毛２６７，２６７′の押付けで変形した後も重複代が２mm以上確保できるよう循環気流フィルター２３１，２３１′の剛性に合わせて選定するのが良い。ここで重複代とは掃除用刷毛２６７，２６７′の毛が変形しないで真直ぐな状態と仮定したときの循環気流フィルター面から毛先迄の長さを言う。
【００４４】
このように、掃除用刷毛２６７，２６７′に軟毛を使用するので、循環気流フィルター２３１，２３１′を変形させる力が小さく、循環気流フィルター２３１，２３１′を片側から掃くだけでよく、循環気流フィルター２３１，２３１′を裏側から支えなくても循環気流フィルター２３１，２３１′上の塵埃を掃き取ることができる。このため、掃除用刷毛２６７，２６７′で循環気流フィルター２３１，２３１′を掃引する時の駆動機構を循環気流フィルター２３１，２３１′の片側だけに設ければ良くなるので駆動機構が大幅に簡略化される。
【００４５】
次に、清掃機構の構成及び動作について上側の清掃機構を例に取り、図５を用いて説明する。図５は捕集塵埃の掃き取り動作を示す説明図である。
【００４６】
循環気流フィルター２３１の右方には清掃動作が行われていない時に掃除用刷毛２６７が待機する待機部２３８がある。
【００４７】
これが清掃動作する時には、待機部２３８に図５のＦ部に示す如く待機していた掃除用刷毛２６７を駆動機構を運転して、循環気流フィルター２３１を掃引するよう図５のＤ部に示す如く移動させる。この時、掃除用刷毛２６７の毛先は凹所Ｆ２３４ｆの開放状態から傾斜Ｆ２３３ｆを通って突出している循環気流フィルター２３１面に徐々に毛先を曲げ変形させながら乗り上げ、循環気流フィルター２３１としっかり摺接する。
【００４８】
掃除用刷毛２６７は除去ブラシ２７１の方向に移動しながら循環気流フィルター２３１を掃引し、塵埃２３６を掃き取る。循環気流フィルター２３１の掃引を終了した掃除用刷毛２６７は掃き取った塵埃２３６と共に、図５のＣ部を通って、除去ブラシ２７１に至り、除去ブラシ面２７１ａと有効に摺接しながら、塵埃２３６を除去ブラシ２７１に移載する。
【００４９】
次に、除去ブラシ２７１，２７１′，塵埃戻り防止ブラシ２７３，２７３′の動作について上側の除去ブラシ２７１，塵埃戻り防止ブラシ２７３を例にとって、図６〜図９を用いて説明する。図６〜図９は順に除塵ブラシの動作説明図１〜図４である。尚、図６〜図９の各動作説明図には図６（ａ），図６（ｂ），図７（ｃ），図７（ｄ），図８（ｅ），図８（ｆ），図９（ｇ），図９（ｈ）の如く、動作順に（ａ）〜（ｈ）の図面符号を付している。
【００５０】
除去ブラシ２７１は循環気流フィルター２３１の側方に設けられ、図６（ａ）の如く、ブラシホルダー２７６に回動可能に軸支され、半円筒状をなしている。半円筒面の約半分の部分は傾斜植毛されたブラシ面２７１ａを構成し、他の半円筒面は非ブラシ面２７１ｂとなっている。傾斜植毛の方向は半円筒の軸に直角で、循環気流フィルター２３１方向となっており、刷毛支持枠２６２の移動に伴って、循環気流フィルター２３１に摺接して掃除用刷毛２６７が掃き集めた循環気流フィルター２３１上の塵埃を図６（ｂ）のようにブラシ面２７１ａに擦り付ける。
【００５１】
掃除用刷毛２６７の移動方向とブラシ面２７１ａの傾斜植毛の方向が逆方向になるので、ブラシ面２７１ａは掃除用刷毛２６７が運んできた塵埃を掻き取り、ブラシ面２７１ａに保持する。２６８は刷毛押えであり、掃除用刷毛２６７の過度の変形を抑制し、掃除用刷毛２６７の循環気流フィルター２３１を掃除する機能を低下させないためのものである。
【００５２】
刷毛支持枠２６２が更に左方に移動すると図７（ｃ）のように刷毛支持枠２６２のレバー突起２６９が除去ブラシ２７１と同軸に取付けられた回動レバー２７１ｃを押し、回動レバー２７１ｃを左方に押す。回動レバー２７１ｃは回動ばね２７１ｄを介して除去ブラシ２７１に取付けられ、回動ばね２７１ｄは回動レバー２７１ｃを時計回りの方向に付勢している。
【００５３】
回動レバー２７１ｃはレバー突起２６９に押されて、図７（ｄ）のように反時計方向に回動し、終には、レバー突起２６９が回動レバー２７１ｃを乗り越え、図８（ｅ）のように回動レバー２７１ｃは回動ばね２７１ｄの付勢力によって時計方向に逆回動してストッパ２７１ｆのところまで戻り、図６（ａ）と同じ位置になる。
【００５４】
刷毛支持枠２６２はレバー突起２６９が回動レバー２７１ｃを乗り越えたところで停止し、反転して循環気流フィルター２３１方向に移動を始める。２７１ｅは除去ブラシ271に取付けられたひれであり、ブラシ面２７１ａに摺接しなかった掃除用刷毛２６７の根元に近い部分の塵埃を掃き取るものである。
【００５５】
次に刷毛支持枠２６２の移動方向が反転後の動作を図８，図９により説明する。
【００５６】
反転して循環気流フィルター２３１方向に移動した刷毛支持枠２６２は図８（ｆ）のように、レバー突起２６９で回動レバー２７１ｃを右方向に押し、回動レバー２７１ｃを時計回り方向に回動させる。回動レバー２７１ｃは除去ブラシ２７１のストッパ２７１ｆを介して除去ブラシ２７１を時計回り方向に押し、除去ブラシ２７１は戻しばね２７７による反時計回り方向の付勢力に抗して回動する。
【００５７】
除去ブラシ２７１の回動に伴い、除去ブラシ面２７１ａが塵埃戻り防止ブラシ２７３の塵埃戻り防止ブラシ面２７３ａに摺接しながらブラシホルダー２７６の内部に潜り込む。このとき、塵埃戻り防止ブラシ面２７３ａは押圧ばね２７８で除去ブラシ面２７１ａに押圧されているので、除去ブラシ面２７１ａと塵埃戻り防止ブラシ面２７３ａの摺接状態が常に保たれている。塵埃戻り防止ブラシ２７３の塵埃戻り防止ブラシ面２７３ａには除去ブラシ面２７１ａと摺接する位置で除去ブラシ面２７１ａの傾斜植毛の傾斜方向と同じ向きに傾斜植毛が施されている。このため、除去ブラシ面２７１ａがブラシホルダー２７６の内部に潜り込む時に、除去ブラシ面２７１ａに保持された塵埃２３６も、塵埃戻り防止ブラシ面２７３ａの傾斜植毛に妨げられることなくブラシホルダー２７６の内部に潜り込む。
【００５８】
回動レバー２７１ｃはレバー突起２６９に押されて、図９（ｇ）のように時計方向に回動し、終には、レバー突起２６９が回動レバー２７１ｃを乗り越える。レバー突起２６９が回動レバー２７１ｃを乗り越えると、図９（ｈ）のように回動レバー２７１ｃは、戻しばね２７７の付勢力によって反時計方向に回動し、ひれ２７１ｅがブラシホルダー２７６の開口縁に当たり、この開口縁がストッパ代わりとなって、図５（ｂ）と同じ状態になる。その後、図６（ａ）に示すように掃除用刷毛２６７が循環気流フィルター２３１の塵埃２３６を運んでくるのに備えて待機する。
【００５９】
上記除去ブラシ２７１が反時計方向に回動するときに、塵埃戻り防止ブラシ面２７３ａの傾斜植毛の方向が除去ブラシ２７１の回動方向と逆になるので、図８（ｆ），図９(ｇ)で除去ブラシ２７１に保持されていた塵埃２３６は、塵埃戻り防止ブラシ面２７３ａに掻き取られる。
【００６０】
この掻き取られた塵埃２３６は、最初は塵埃戻り防止ブラシ面２７３ａの傾斜植毛部に大部分が絡み付いて、保持されている。しかし、掃除用刷毛２６７が次に、往復すると、除去ブラシ２７１と塵埃戻り防止ブラシ２７３が再度摺接する。この時、図８（ｆ），図９（ｇ）のように、新たな塵埃２３６が、除去ブラシ２７１によってブラシホルダー276の内部に潜り込むと同時に塵埃戻り防止ブラシ面２７３ａの傾斜植毛部に絡み付いている塵埃２３６を除去ブラシ面２７１ａの内方端部が掻き取って、ブラシホルダー２７６の更に内部に潜り込ませる。
【００６１】
この更に潜り込んだ塵埃２３６は図９（ｈ）のようにレバー突起２６９が回動レバー
２７１ｃを乗り越えて除去ブラシ２７１が元の状態に戻る時に、再度塵埃戻り防止ブラシ面２７３ａの内方端部に掻き取られる。このように、塵埃戻り防止ブラシ面２７３ａの内方端部に掻き取られた塵埃２３６は、掃除用刷毛２６７の往復に伴う、除去ブラシ２７１の回動毎に、塵埃戻り防止ブラシ２７３と除去ブラシ２７１の間の移動を繰返し、その一部は移動に失敗してブラシホルダー２７６の内部に落下する。
【００６２】
除去ブラシ２７１の回動を繰り返すことで新たな塵埃２３６を次々加えながら塵埃戻り防止ブラシ２７３と除去ブラシ２７１の間を移動する塵埃２３６の量が増えるに伴って、塵埃戻り防止ブラシ２７３と除去ブラシ２７１の間の移動に失敗する塵埃２３６も多くなり、次々とブラシホルダー２７６の内部に落下する。このため、長い時間の間隔で見ると掃除用刷毛２６７で掃き取られた循環気流フィルター２３１の塵埃２３６は粛々とブラシホルダー２７６の内部に落下してゆき、ブラシホルダー２７６の内部から逆流してくることは無い。
【００６３】
このように、塵埃戻り防止ブラシ２７３に掻き取られた塵埃２３６は、次回以降の図８（ｅ），図８（ｆ），図９（ｇ），図９（ｈ）に示す除去ブラシ２７１の往復動作で、除去ブラシ２７１が塵埃戻り防止ブラシ面２７３ａの傾斜植毛の方向に摺接して回動する際に、及び、除去ブラシ２７１が塵埃戻り防止ブラシ面２７３ａの傾斜植毛の方向と逆方向に摺接して回動する際にブラシホルダー２７６の内部に押し出される。
【００６４】
これによって、塵埃２３６がブラシホルダー２７６の内部に留まる。このように、一旦、掃除用刷毛２６７に掃き取られた塵埃２３６は除去ブラシ２７１、塵埃戻り防止ブラシ２７３で掻き取られ、ブラシホルダー２７６の内部に留まり、循環気流フィルター２３１面に再付着することは無い。また、ブラシホルダー２７６は底部が開口していて、この底部開口は除去塵埃ホッパー２８１のホッパー開口２８１ａに対向している。
【００６５】
次に掃除用刷毛２６７は清掃時とは逆向きに毛先を変形させて循環気流フィルター231に摺接しながら移動し、待機部２３８に向かう。
【００６６】
次に、除去した塵埃を室外に排出する機構について図１０，図１１を用いて説明する。図１０は除去塵埃ホッパーの斜視図、図１１は図２のＡＡ断面図である。
【００６７】
前記除去ブラシ２７１，２７１′は前述したように、循環気流フィルター２３１，
２３１′の各々の側方に設けられ、本実施例では上側循環気流フィルター２３１，前側循環気流フィルター２３１′の左方に上側除去ブラシ２７１、前側除去ブラシ２７１′が各々の循環気流フィルター面に平行に、設けられている。上側除去ブラシ２７１の下方、前側除去ブラシ２７１′の後方には図１０に示すような除去塵埃ホッパー２８１が置かれ、ブラシホルダー２７６，２７６′から落下してくる塵埃を受け止め、下部に設けられた除去塵埃貯留部２８１ｅに塵埃を誘導する。
【００６８】
除去塵埃ホッパー２８１には上側除去ブラシ２７１、前側除去ブラシ２７１′が回動してブラシホルダー２７６，２７６′の内部に潜り込んだ時にその各々に対向するようにホッパー開口２８１ａ，２８１ａ′が除去塵埃ホッパー２８１の上方と前方の位置に開設されている。
【００６９】
このため、ブラシホルダー２７６，２７６′の内部で塵埃戻り防止ブラシ面２７３ａ，２７３ａ′に掻き取られた塵埃２３６は、次々に運ばれてくる塵埃２３６に押されて、塵埃戻り防止ブラシ面２７３ａ，２７３ａ′から離れ、ブラシホルダー２７６，２７６′内を落下する。落下した塵埃２３６は対向しているホッパー開口２８１ａ，２８１ａ′を通り、除去塵埃ホッパー２８１内を落下し、除去塵埃貯留部２８１ｅに集められる。
【００７０】
なお、本実施例では除去塵埃ホッパー２８１の背面上部に外気導入機構３２からの吹出し気流を除去塵埃ホッパー２８１内に導く気流導入口２８１ｄが開口し、外気導入機構吹出し口３２６に接続されている。また、貯留部２８１ｅの後部は排出風路３８に接続されている。
【００７１】
外気導入機構３２は、室内機２内の一側部に配置される。具体的には、外気導入機構
３２は、送風ファン３１１用の送風モータ３１３と反対側部に組み込まれている。
【００７２】
外気導入機構３２は、室外空気を取り込む外気導入機構吸込み口３２５を後部に有している。そして、外気導入機構吸込み口３２５には吸気風路３９が接続され、この吸気風路３９が前述の排出風路３８や室内機２と室外機６を接続する冷媒配管８と一緒に家屋の配管穴を貫通して室外に引き出され、排出風路３８、吸気風路３９の先端は排出気流が吸気風路３９に短絡しないように間隔を置いて外気に開放される。また、冷媒配管８は室外機６に接続される。
【００７３】
外気導入機構３２には排出運転と運転停止の状態がある。そして、排出運転では、吸気風路３９を介して室外空気を外気導入機構吸込み口３２５から吸い込み、外気導入機構吹出し口３２６，気流導入口２８１ｄを経て除去塵埃ホッパー２８１内へ吹出す。吹出された気流は除去塵埃貯留部２８１ｅに向かい、除去塵埃貯留部２８１ｅに溜った塵埃を吹飛ばし、舞い上げて気流内に取り込み、塵埃排出口３２７から排出風路３８を通って室外に流れ出る。この時、気流と一緒に除去塵埃貯留部２８１ｅの塵埃が室外に排出される。図１１にはこの時の風の流れる方向を矢印で示している。なお、運転停止の状態では当然であるが風が流れることはない。
【００７４】
一般に、室内の空気を室外に排気すると、室内の気圧が室外より低くなるため、家屋の隙間から室外の空気が侵入する。この時、室外の空気が花粉等のアレルゲンで汚染されていると、この汚染物質も家屋の隙間から侵入し、室内の空気を汚染する。
【００７５】
実施例１によれば、塵埃を排出する空気を室外から取り込むので、室内の気圧が低下することがなく、室外の空気が家屋の隙間などから侵入してくる恐れはなく、室外の空気が花粉などのアレルゲンで汚染されていても、室内が汚染されることはない。また、空気調和機が室内の高所に据付られていても、清掃機構で回収し貯留された塵埃の排出のため、高所で安全に気遣いながら作業をする必要がなくなり、安全でしかも、塵埃に手を触れることなく排出できるので清潔にすごすことができる。
【００７６】
このように、回収した塵埃を清潔，安全に排出し、また、排出に伴う外気による室内の汚染を防いだ空気調和機を提供することができる。
【００７７】
また、特に説明しないが、それぞれの運転モードの切り換えは、リモコンの操作部で行うか、室内機２の操作部で行う。また、図示しない制御装置からの指令により、周囲の環境条件や空気調和機の運転経過などに応じて自動的に運転モードの切り換えを行うこともできる。循環気流フィルター２３１，２３１′の清掃機構の運転に引き続き外気導入機構３２の運転を行う方法もある。
【００７８】
また、外気導入機構３２の運転は室内機２の冷暖房運転と併用して運転することもできれば、外気導入機構３２単独で運転することもできる。さらに、外気導入機構３２にタイマーを設けて、前回の外気導入機構３２の運転からの空気調和機の運転時間の積算が所定の時間を越えたときに、一定時間運転し、その後、自動的に運転を停止させることも可能である。
【実施例２】
【００７９】
次に、実施例２に付いて図１２〜図１４を用いて説明する。実施例１と同一の部分は同一の符号をつけて説明を省略する。図１２は実施例２における図２のＡＡ断面図、図１３は実施例２の除去塵埃ホッパーの斜視図、図１４は実施例２のフィルターボックスの斜視図である。
【００８０】
実施例２は図１２に示すように、実施例１の外気導入機構吹出し口３２６に風路切換ダンパー３２９ｃを設け、外気導入機構３２からの吹出し気流を実施例１と同様に除去塵埃ホッパー２８１，除去塵埃貯留部２８１ｅを介して排出風路３８に連通させるか、室内に連通させるかを切り換える。また、外気導入機構３２の外気吸込み風路３２８ｂ内に、導入される室外空気を清浄する外気フィルター３２７ｂを設ける。
【００８１】
この風路切換ダンパー３２９ｃを図１２のＡの位置にし外気導入機構３２を運転すると、実施例１と同様に除去塵埃の排出運転となり、吸気風路３９を介して室外空気を外気導入機構吸込み口３２５から吸い込み、外気導入機構吹出し口３２６，気流導入口２８１ｄを経て除去塵埃ホッパー２８１内へ吹出す。吹出された気流は除去塵埃貯留部２８１ｅに向かい、除去塵埃貯留部２８１ｅに溜った塵埃を吹飛ばし、舞い上げて気流内に取り込み、塵埃排出口３２７から排出風路３８を通って室外に流れ出る。
【００８２】
このように、気流と一緒に除去塵埃貯留部２８１ｅの塵埃が室外に排出される。図１２にはこの時の風の流れる方向を塗りつぶした矢印と実線矢印で示している。この時、吹出し気流の速度が大きいほうが除去塵埃貯留部２８１ｅに溜った塵埃を良く吹飛ばすので、外気導入ファン３２１の回転速度は大きくするのが良い。
【００８３】
また、この時、吸い込まれた室外空気は外気吸込み風路３２８ｂの途中に置かれた外気フィルター３２７ｂで粒径１０μｍ以上の塵埃を９９.９％ に近い高効率で捕集され、清浄な空気となって室内に吹出す。このような外気フィルター３２７ｂとしては、例えば、静電気を帯電させた静電フィルターや、更には脱臭機能も有する空清フィルター等が知られている。
【００８４】
このように、外気フィルター３２７ｂで空気中に含まれている微小な塵埃と臭気を取り除かれ、外気導入ファン３２１に吸い込まれる。これにより、外気導入機構３２の外気フィルター３２７ｂより下流は清浄に保たれ、後述する吸気換気の時にも室内に吹出す室外空気が汚染されることはない。
【００８５】
この風路切換ダンパー３２９ｃを図１２のＢの位置にし外気導入機構３２を運転すると、吸気換気運転となり、室内に室外空気を導入し、外気吸込み風路３２８ｂに設けた外気フィルター３２７ｂを通すことにより室外空気に含まれているアレルゲン等の塵埃を除去する。図１２にはこの時の風の流れる方向を塗りつぶした矢印と破線矢印で示している。このように、アレルゲン等の塵埃を除去した室外空気を室内に吸気することで家屋の隙間からの自然換気が抑制され、汚染物質を含んだ室外空気が室内に侵入してくるのを防ぎ、室内を清浄な状態に維持する。
【００８６】
この吸気換気運転では、使用者が在室中は継続して吸気換気運転されることが多く、長時間運転が続くため、運転騒音を低く押える必要があり、外気導入ファン３２１の回転速度を下げて運転するのが良い。
【００８７】
なお、室内への吹出しに付いては必ずしも直接室内に吹出す外気吹出し口を設ける必要はなく、循環気流の循環経路の適所に吹出し口を設けても良く、また、明確な吹出し経路を備えなくても、結果的に室内に吹出していれば、吸気換気の目的を達成できる。
【００８８】
この時、図１３に示すように外気フィルター３２７ｂに対向する除去塵埃貯留部281eの背面部と前面部に仕切り開口２８１ｃとフィルター着脱開口２８１ｂを設け、図１４に示すようなフィルターボックス２８４をはめ込む。フィルターボックス２８４の後部は外気フィルター３２７ｂの収納部２８４ｂで、後面と上面が開放され、各々上流開口２８４ｊ，下流開口２８４ｇとなっている。前部は除去塵埃落下通路２８４ａで、上面と下面が開放され除去塵埃ホッパー２８１を落下した塵埃が除去塵埃貯留部２８１ｅに到達できるようになっている。
【００８９】
外気フィルター収納部２８４ｂと除去塵埃落下通路２８４ａは仕切り開口２８１ｃの貫通部で仕切り２８４ｋで仕切られ、仕切りシール２８４ｍにより、外気吸込み風路328bと除去塵埃貯留部２８１ｅを遮断している。除去塵埃落下通路２８４ａの前部は室内との通気を遮断する蓋部２８４ｎになっていて、その周囲は蓋部シール２８４ｐでフィルター着脱開口２８１ｂと密着し、除去塵埃貯留部２８１ｅの塵埃が室内に飛散してくるのを防いでいる。
【００９０】
空気調和機を運転し、長い時間が経過すると、繰返し循環気流フィルター２３１，
２３１′の清掃が行われ、除去塵埃貯留部２８１ｅに除去した塵埃が溜ってくる。しかし、この除去塵埃は前述のように、外気導入機構３２の塵埃排出運転で室外に排出されるので特段の清掃は不要となる。また、外気導入運転、塵埃排出運転を長時間行うと外気フィルター３２７ｂに塵埃が溜ると同時に、帯電量が減少して集塵効果が低下してくる。
【００９１】
このため、塵埃の多い環境で使用すると短ければ２〜３年に一度、外気フィルター327bの交換が必要になる。実施例では、前面パネル２５を図１２の点線の如く開いて、蓋部
２８４ｎのツマミ部２８４ｃをつまんでフィルター着脱開口２８１ｂから引出し、フィルターボックス２８４を取外す。取外したフィルターボックス２８４の外気フィルター収納部２８４ｂの外気フィルター３２７ｂを点検し、必要に応じて交換を行う。而して、フィルターボックス２８４をフィルター着脱開口２８１ｂから挿入し、取付け、前面パネル
２５を閉じて、外気フィルター３２７ｂのメンテナンスを終了する。
【００９２】
このように、空気調和機の掃除としては数年に一回だけのきわめて簡単な外気フィルター３２７ｂの交換作業が残るだけとなり安全性，汚れを気遣いながらする作業が極めて少なくなる。
【００９３】
実施例２によれば、塵埃排出用の外気導入機構３２を共用して、室外空気を室内へ吸気する吸気換気ができる。このように、塵埃の排出と吸気換気を同一の送風機で行うので送風機の設置スペースが節約でき、省スペースとなる。この時、室外からの空気は外気吸込み風路３２８ｂに設けた外気フィルター３２７ｂで清浄されるので、室内の空気を汚染することはなく、また、室内は吸気で気圧が上がるため、家屋の隙間から室外に空気が流れ、逆に室外の空気が侵入してくることはない。
【００９４】
このため、省スペースで且つ、部品数，原価の増加を抑制しつつ、室内を外気で汚染せずに換気する空気調和機を提供することができる。
【００９５】
また、実施例２の空気調和機を吸気換気運転する時に、外気導入機構３２の外気導入ファン３２１の回転数を塵埃排出運転の時より低速にする。
【００９６】
これにより、騒音と風量と言う相反する特性を持つ送風機を使用条件に応じて使い分ける。この時、吸気換気時には長時間運転でも支障ない低騒音で運転し、塵埃の排出時は塵埃を吹飛ばすに十分な強風力で運転する。
【００９７】
このため、吸気換気、塵埃排出の両方で使用者の満足が得られる適正な運転が行える空気調和機を提供することができる。
【実施例３】
【００９８】
次に、実施例３に付いて図１５を用いて説明する。実施例２と同一の部分は同一の符号をつけて説明を省略する。図１５は実施例３における図２のＡＡ断面図である。
【００９９】
実施例３は図１５に示すように、実施例２の外気導入機構３２の吹出し方向を斜め下向きにし、外気導入機構３２からの吹出し気流が直接除去塵埃貯留部２８１ｅに達するようにしたものである。
【０１００】
これにより、外気導入ファン３２１からの吹出し気流を勢いをそがずに直接貯留部281eの塵埃に吹付け、塵埃を舞い上がらせ、排出風路３８に運び、室外に排出する。
【０１０１】
このため、残留する塵埃が少ない空気調和機を提供することができる。
【実施例４】
【０１０２】
図１６は実施例４における図２のＡＡ断面図である。実施例４は図１６に示すように、実施例３の除去塵埃ホッパー２８１内に前記外気導入ファン３２１からの吹出し気流の案内部材２８１ｆを設けるものである。
【０１０３】
これにより、吹出し気流の拡散する部分を貯留部２８１ｅの塵埃に集中させ、吹出し気流を無駄なく塵埃に衝突させ、舞い上がらせて室外に排出する。
【０１０４】
このため、残留する塵埃が少ない空気調和機を提供することができる。
【０１０５】
また、前記案内部材２８１ｆを前記外気導入ファン３２１の吹出し気流とホッパー開口２８１ａ，２８１ａ′との間に設ける。
【０１０６】
これにより、ホッパー開口２８１ａ，２８１ａ′部に取付けられるブラシホルダー276，２７６′周辺の隙間や稼動部に塵埃が潜り込むのを抑制し、ブラシホルダー２７６，
２７６′周辺の塵埃の堆積を防止する。
【０１０７】
このため、清掃機構を清潔に保つ空気調和機を提供することができる。
【実施例５】
【０１０８】
図１７は実施例５における図２のＡＡ断面図である。実施例５は図１７に示すように、実施例１の外気導入機構３２の吹出し方向を斜め下向きにし、外気導入機構３２からの吹出し気流が直接除去塵埃貯留部２８１ｅに達するようにし、更に、除去塵埃の落下経路内に前記貯留部２８１ｅと前記除去塵埃ホッパー開口２８１ａ，２８１ａ′を遮断、または、該貯留部２８１ｅと該除去塵埃ホッパー開口２８１ａ，２８１ａ′を連通させるように切り換える逆流防止ダンパー２８３を備えるものである。
【０１０９】
これにより、貯留部２８１ｅの静圧がホッパー開口２８１ａ，２８１ａ′部より高くなっても塵埃がホッパー開口２８１ａ，２８１ａ′部に逆流しないので、ホッパー開口281a，２８１ａ′部に取付けられるブラシホルダー２７６，２７６′周辺の隙間や稼動部に塵埃が潜り込むのを抑制し、ブラシホルダー２７６，２７６′周辺の塵埃の堆積を防止する。
【０１１０】
このため、清掃機構を清潔に保つ空気調和機を提供することができる。
【実施例６】
【０１１１】
図１８は実施例６における図２のＡＡ断面図である。実施例６は図１８に示すように、実施例３の除去塵埃の落下経路内に前記貯留部２８１ｅと前記除去塵埃ホッパー開口281a，２８１ａ′を遮断、または、該貯留部２８１ｅと該除去塵埃ホッパー開口２８１ａ，
２８１ａ′を連通させるように切り換える逆流防止ダンパー２８３を備えるものである。
【０１１２】
これにより、外気導入ファン３２１を運転すると外気導入ファン３２１の吹出し気流は貯留部２８１ｅの塵埃に衝突し、これを舞い上げ、気流に載せて排出風路３８から室外に排出する。この時、貯留部２８１ｅとホッパー開口２８１ａ，２８１ａ′部が遮断されているので、舞い上がった塵埃はホッパー開口２８１ａ，２８１ａ′部に逆流することはない。
【０１１３】
このため、清掃機構を清潔に保つ空気調和機を提供することができる。
【０１１４】
以上説明した実施例によれば、室内の気圧は低下することがないので、室外の空気が家屋の隙間などから侵入してくる恐れはなく、室外の空気が花粉などのアレルゲンで汚染されていても、室内が汚染されることはない。また、空気調和機が室内の高所に据付けられていても、清掃機構で回収し貯留された塵埃の排出のため、高所で安全に気遣いながら作業をする必要がなくなり、安全でしかも、塵埃に手を触れることなく排出できるので清潔にすごすことができる。
【０１１５】
このため、回収した塵埃を清潔，安全に排出し、また、排出に伴う外気による室内の汚染を防いだ空気調和機を得ることができる。
【０１１６】
また、塵埃排出用の外気導入ファンを共用して、室外空気を室内へ吸気する吸気換気ができる。このように、塵埃の排出と吸気換気を同一の外気導入ファンで行うので換気用ファンの設置スペースが節約でき、省スペースとなる。この時、室外からの空気は吸気経路に設けた空気清浄フィルターで清浄にされるので、室内の空気を汚染することはなく、また、室内は吸気で気圧が上がるため、家屋の隙間から室外に空気が流れ、逆に室外の空気が侵入してくることはない。
【０１１７】
このため、省スペースで且つ、部品数，原価の増加を抑制しつつ、室内を外気で汚染せずに換気する空気調和機を得ることができる。
【０１１８】
また、騒音と風量と言う相反する特性を持つ外気導入ファンを使用条件に応じて使い分ける。この時、吸気換気時には長時間運転でも支障ない低騒音で運転し、塵埃の排出時は塵埃を吹飛ばすに十分な強風力で運転する。
【０１１９】
このため、吸気換気，塵埃排出の両方で使用者の満足が得られる適正な運転が行える空気調和機を得ることができる。
【０１２０】
また、外気導入ファンからの吹出し気流を勢いをそがずに直接貯留部の塵埃に吹付け、塵埃を舞い上がらせ、排出風路に運び、室外に排出する。
【０１２１】
このため、残留する塵埃が少ない空気調和機を得ることができる。
【０１２２】
また、吹出し気流の拡散する部分を貯留部の塵埃に集中させ、吹出し気流を無駄なく塵埃に衝突させ、舞い上がらせて室外に排出する。
【０１２３】
このため、残留する塵埃が少ない空気調和機を得ることができる。
【０１２４】
また、ホッパー開口部に取付けられるブラシホルダー周辺の隙間や稼動部に塵埃が潜り込むのを抑制し、ブラシホルダー周辺の塵埃の堆積を防止する。
【０１２５】
このため、清掃機構を清潔に保つ空気調和機を得ることができる。
【０１２６】
また、貯留部の静圧がホッパー部より高くなっても塵埃がホッパー部に逆流しないので、ホッパー開口部に取付けられるブラシホルダー周辺の隙間や稼動部に塵埃が潜り込むのを抑制し、ブラシホルダー周辺の塵埃の堆積を防止する。
【０１２７】
このため、清掃機構を清潔に保つ空気調和機を得ることができる。
【０１２８】
また、外気導入ファンを運転すると外気導入ファンの吹出し気流は貯留部の塵埃に衝突し、これを舞い上げ、気流に載せて排出風路から室外に排出する。この時、貯留部とホッパー部が遮断されているので、舞い上がった塵埃はホッパー部に逆流することはない。
【０１２９】
このため、清掃機構を清潔に保つ空気調和機を得ることができる。
【図面の簡単な説明】
【０１３０】
【図１】空気調和機の構成図。
【図２】図１の室内機の内部正面図。
【図３】図１の室内機の側断面図。
【図４】清掃機構の斜視図。
【図５】捕集塵埃の掃き取り動作詳細図。
【図６】除塵ブラシの動作説明図１。
【図７】除塵ブラシの動作説明図２。
【図８】除塵ブラシの動作説明図３。
【図９】除塵ブラシの動作説明図４。
【図１０】実施例１の除去塵埃ホッパーの斜視図。
【図１１】実施例１における図２のＡＡ断面図。
【図１２】実施例２における図２のＡＡ断面図。
【図１３】実施例２の除去塵埃ホッパーの斜視図。
【図１４】実施例２のフィルターボックスの斜視図。
【図１５】実施例３における図２のＡＡ断面図。
【図１６】実施例４における図２のＡＡ断面図。
【図１７】実施例５における図２のＡＡ断面図。
【図１８】実施例６における図２のＡＡ断面図。
【符号の説明】
【０１３１】
１  空気調和機
２  室内機
５  リモコン
６  室外機
８  冷媒配管
２１  筐体
２３  化粧枠
２５  前面パネル
２７  空気吸込み口
２９  空気吹出し口
３２  外気導入機構
３３  室内熱交換器
３５  露受皿
３７  ドレン配管
３８  排出風路
３９  吸気風路
２３０，２３０′  空気吸込み部
２３１，２３１′  循環気流フィルター
２３２，２３２′  フィルター枠
２３４  案内枠
２３５，２３５′  レール
２３６  塵埃
２３７  ラック
２３８，２３８′  待機部
２４１  移動手段
２４２  移動用モータ
２４３  推進軸
２４４  スクリュウ
２４５  軸受
２５１  可動パネル
２６１  キャリッジ
２６２，２６２′  刷毛支持枠
２６７，２６７′  掃除用刷毛
２６８，２６８′  刷毛押え
２６９，２６９′  レバー突起
２７１，２７１′  除去ブラシ
２７１ａ，２７１ａ′  除去ブラシ面
２７１ｂ，２７１ｂ′  非ブラシ面
２７１ｃ，２７１ｃ′  回動レバー
２７１ｄ，２７１ｄ′  回動ばね
２７１ｅ，２７１ｅ′  ひれ
２７１ｆ，２７１ｆ′  ストッパ
２７３，２７３′  塵埃戻り防止ブラシ
２７３ａ，２７３ａ′  塵埃戻り防止ブラシ面
２７６，２７６′  ブラシホルダー
２７７，２７７′  戻しばね
２７８，２７８′  押圧ばね
２８１  除去塵埃ホッパー
２８１ａ，２８１ａ′  ホッパー開口
２８１ｂ  フィルター着脱開口
２８１ｃ  仕切り開口
２８１ｄ  気流導入口
２８１ｅ  除去塵埃貯留部
２８１ｆ  案内部材
２８３  逆流防止ダンパー
２８４  フィルターボックス
２８４ａ  除去塵埃落下通路
２８４ｂ  外気フィルター収納部
２８４ｃ  ツマミ部
２８４ｅ  通路開口
２８４ｇ  下流開口
２８４ｊ  上流開口
２８４ｋ  仕切り
２８４ｍ  仕切りシール
２８４ｎ  蓋部
２８４ｐ  蓋部シール
２９０  吹出し風路
２９１  上下風向板
２９５  左右風向板
３１１  送風ファン
３１３  送風モータ
３２１  外気導入ファン
３２５  外気導入機構吸込み口
３２６  外気導入機構吹出し口
３２６ａ  排出気流吹出し口
３２６ｂ  吸気吹出し口
３２７  塵埃排出口
３２７ｂ  外気フィルター
３２８ｂ  外気吸込み風路
３２９ｃ  風路切換ダンパー
３９６  受光部
３９７  表示部
【図１】
2008116139.tif 000003
【図２】
2008116139.tif 000004
【図３】
2008116139.tif 000005
【図４】
2008116139.tif 000006
【図５】
2008116139.tif 000007
【図６】
2008116139.tif 000008
【図７】
2008116139.tif 000009
【図８】
2008116139.tif 000010
【図９】
2008116139.tif 000011
【図１０】
2008116139.tif 000012
【図１１】
2008116139.tif 000013
【図１２】
2008116139.tif 000014
【図１３】
2008116139.tif 000015
【図１４】
2008116139.tif 000016
【図１５】
2008116139.tif 000017
【図１６】
2008116139.tif 000018
【図１７】
2008116139.tif 000019
【図１８】
2008116139.tif 000020